(57)【要約】【課題】従来の汚染土壌及び地下水の浄化方法の中で、本願に関係するバイオレメデエーション法は、環境に左右されて最適期間内に浄化することができない場合があり不安定なものであった。【解決手段】汚染領域を建設重機２で掘削し汚染土壌１と炭素数が６以上の直鎖状飽和モノカルボン酸を主成分とした栄養塩５を混合し、ブロワー５で間欠給気することにより、土着している好気性微生物又は嫌気性微生物が増殖、活性化し、揮発性有機化合物又は油分による汚染土壌１を分解処理でき、浄化された土壌を元の場所に埋め戻すまたは、リサイクルすることができる。【選択図】図１
2005279397.tif 000002
【特許請求の範囲】
【請求項１】
建設重機を用いて汚染土壌領域を掘削し、掘削した汚染土壌と、炭素数が６以上の直鎖状飽和モノカルボン酸を主成分とした栄養塩を土壌混合機により混合し、前記建設重機により掘削した領域に遮水シートを敷き、前記遮水シートの勾配を２度から４度を維持するようにした後、前記勾配の下方に集水用配管を具備し、砂利を前記遮水シートの上に敷き詰め、その上に給気用配管を配置し、前記土壌混合機により前記汚染土壌と前記栄養塩が混合された混合土壌を投入する汚染土壌の浄化方法であって、前記給気用配管に連通した送風装置を間欠運転で前記混合土壌に送風することにより、土着している嫌気性微生物及び好気性微生物を増殖かつ活性化させ、前記遮水シートに浸出する浸出水を、集水用配管を介して揚水ポンプで汲み上げ、前記混合土壌に散布することによって前記汚染土壌の揮発性有機化合物を分解処理する工法を用いた浄化方法。
【請求項２】
前記給気用配管の上部に配管保護手段を用いたことを特徴とする請求項１に記載の浄化方法。
【請求項３】
前記集水用配管の上部に配管保護手段を用いたことを特徴とする請求項１に記載の浄化方法。
【発明の詳細な説明】
【技術分野】
【０００１】
この発明はバイオレメデエーション法を用いて嫌気性微生物及び好気性微生物を活性化し、有機塩素系化合物及び廃油で汚染された土壌の浄化を促進して、汚染領域を原位置で短期間に浄化する技術に関するものである。
【背景技術】
【０００２】
従来、土壌及の汚染の浄化設備とその浄化方法として、真空抽出法、揚水曝気法、石灰法、鉄粉法、土壌掘削置換法、土壌湿気式洗浄法、不溶化処理法、気・液混合井戸方法、エアースパージング方式、バイオレメディエーション法と、浄化に関して様々な方法が用いられるが、短期間で、土壌及び地下水の汚染の浄化ができる方法は、鉄粉法とバイオレメディエーション法である。
【０００３】
原位置での生物学的処理が可能で、炭素数が１０以上の脂肪酸、炭素数が１２以上のアルコール、炭素数が１４以上の直鎖状飽和脂肪酸と１価アルコールのエステル、炭素数が１４以上の直鎖状飽和脂肪酸と多価アルコールのエステル、炭素数が１６以上の脂肪酸とグリセリンのエステルなどを土壌中に埋設して、土壌や地下水の硝酸態窒素及び揮発性有機化合物を低減させる方法が知られている（例えば、特許文献１参照）。
炭素数が６以上の直鎖状飽和モノカルボン酸を主成分とし、特に粒径１００ｍｍ以内の粒子状に成形し、主に廃水処理に用いる脱窒素促進剤およびこの脱窒素促進剤を用いた水処理方法が知られている（例えば、特許文献２参照）。
【特許文献１】特開２００２−３７００８５号公報（第４〜１４頁、第１〜３図）
【特許文献２】特開２０００−３３４４９２号公報（第３〜９頁、第１〜４図）
【発明の開示】
【発明が解決しようとする課題】
【０００４】
しかしながら、このような従来の土壌及び地下水の汚染の浄化設備とその浄化方法では、鉄粉法は土壌を掘削してゼロ化鉄粉を注入する方法で、化学反応により短期間に土壌浄化するが、現状では汚染領域を絞って掘削する方法が主流の為、汚染領域全てを最適期間内に浄化することができなく、しかも高額な施工費用がかかる。またバイオレメデエーション法は、環境に左右され最適期間内に浄化することができない場合もあり不安定である。
さらに浄化処理剤についても、従来の栄養塩類では、（例えばポリ乳酸エステル）水に対する溶解度が高く、この場合供給した栄養塩（の消費量）の地下水への溶出が早く（多く）、したがって頻繁に栄養塩の追加（継続）投与が必要であった。また、炭素数が１０以上の脂肪酸は土壌中の水分への溶出が遅く、汚染土壌での最適量の溶出が管理できない。
したがって、ここに、浄化処理剤の溶解度が最適で、常時処理が安定し、メンテナンスが楽なものが切望されていた。また、汚染土壌を掘削しないバイオレメデエーション法では、地下の汚染土壌浄化の状態が判断しにくく、さらに汚染土壌を掘削しても、その汚染土壌を廃棄物として処理する場合には特別管理産業廃棄物となり、莫大な費用とエネルギーが必要となる等の課題が多かった。
【０００５】
本発明は、このような従来の課題を解決するものであり、汚染土壌を掘削して、栄養塩と汚染土壌を土壌混合機で混合して掘削した位置に戻し、原位置で空気を間欠給気する浄化する工法であり、土壌に生息する嫌気性微生物及び好気性微生物を長期（常時）に安定して増殖・活性化させて、浄化処理・管理を最適化し、かつ各浄化処理の設備・施設を簡略化し、汚染土壌の浄化方法を提供することを目的とする。つまり、施工費用が比較的安いバイオレメデエーション法に注目し、特定の栄養塩を選定した嫌気性微生物及び好気性微生物処理によって土壌の汚染の浄化を促進せしめ、炭素数が６以上の直鎖状飽和モノカルボン酸を主成分とした栄養塩（カプロン酸、ペンタンカルボン酸、ブチル酢酸、エナント酸、エナンチル酸、ヘキサンカルボン酸、ペンチル酢酸、カプリル酸、ヘプタンカルボン酸、ヘキシル酢酸、ペラルゴン酸、オクタンカルボン酸、ヘプチル酢酸等）を汚染領域の掘削した土壌と混合することにより汚染土壌全てを最適期間内に安定して浄化できる工法を用いた浄化方法を提供する。
【課題を解決するための手段】
【０００６】
本発明の汚染土壌の浄化方法は、上記目的を達成するために、建設重機を用いて汚染土壌領域を掘削し、掘削した汚染土壌と、炭素数が６以上の直鎖状飽和モノカルボン酸を主成分とした栄養塩を土壌混合機により混合し、前記建設重機により掘削した領域に遮水シートを敷き、前記遮水シートの勾配を２度から４度を維持するようにした後、前記勾配の下方に集水用配管を具備し、砂利を前記遮水シートの上に敷き詰め、その上に給気用配管を配置し、前記土壌混合機により前記汚染土壌と前記栄養塩が混合された混合土壌を投入する汚染土壌の浄化方法であって前記給気用配管に連通した送風装置を間欠運転で前記混合土壌に送風することにより、土着している嫌気性微生物及び好気性微生物を増殖かつ活性化させ、前記遮水シートに浸出する浸出水を、集水用配管を介して揚水ポンプで汲み上げ、前記混合土壌に散布することによって前記汚染土壌の揮発性有機化合物や油分を分解処理する工法を用いたものである。
【０００７】
本発明者らは、建設重機を用いて汚染領域を掘削し状況把握した後、掘削し非汚染領域となった部分に遮水シートを２度から４度の水平勾配を維持するように敷き、その上に集水用配管を単数又は複数本設置し、前記集水用配管を覆うように砂利を敷き詰め、その上に給気用の配管を単数又は複数本設置し、前記給気用配管を覆うように砕石を敷き詰め、その上に土壌混合機で汚染土壌と炭素数が６以上の直鎖状飽和モノカルボン酸を主成分とした栄養塩をほぼ均一に混合した混合土壌を埋め戻し、前記混合土壌に対して、前記給気配管に空気供給を間欠制御することにより、汚染土壌に土着している嫌気性微生物及び好気性微生物の増殖かつ活性促進させることにより、汚染土壌に含有する揮発性有機化合物や油分をバイオ的に安定して完全分解（還元的脱塩素化反応による浄化、無害化）処理することができ、最適の工期間で汚染土壌全体を浄化することができ、汚染土壌から浸出する浸出水は前記集水配管を介して貯留手段（例えば、貯留槽、貯留容器）で溜められ、適宜混合土壌に散水することにより、２次公害を引き起こす恐れもなく、排水処理設備が不要で特別管理産業廃棄物として廃棄する必要もなく、浸出水の汚染も浄化できる。
【発明の効果】
【０００８】
本発明によれば、汚染領域を掘削等により状況把握した後、掘削し非汚染領域となった部分に遮水シートを２度から４度の水平勾配を維持するように敷き、その上に集水用配管を単数又は複数本設置し、集水用配管を覆うように、かつ平坦に砂利を敷き詰め、その上に給気用の配管を単数又は複数本設置し、その上に汚染領域を掘削した汚染土壌と炭素数が６以上の直鎖状飽和モノカルボン酸を主成分とした栄養塩を土壌混合機でほぼ均一に混合した混合土壌を積み上げ、混合土壌に対して、給気配管に送られる空気を間欠的に供給する工法において汚染土壌に土着している好気性微生物の増殖かつ活性促進させる嫌気・好気処理を行うことにより、混合土壌に含有する揮発性有機化合物及び廃油をバイオ的に安定して分解（還元的脱塩素化反応による浄化、無害化）処理することができ、最適の工期間で混合土壌全体を浄化することができ、混合土壌から浸出する浸出水も浄化できる。
【０００９】
また、本発明の混合土壌を嫌気・好気処理で浄化する工法は、土壌汚染が広範囲の場合においては有効に浄化できる。
【００１０】
さらに、最適の工期間で混合土壌全体をバイオ的に安定して完全分解（還元的脱塩素化反応による浄化、無害化）処理することができるため、浄化された土壌はそのまま使用することができ、特別管理産業廃棄物として廃棄する必要も無く、莫大な費用とエネルギーを削減できる。
【発明を実施するための最良の形態】
【００１１】
請求項１に記載の本発明によれば、建設重機を用いて汚染土壌領域を掘削し、現地の汚染状況や周辺の各種状況に応じた特定の栄養塩（炭素数が６以上の直鎖状飽和モノカルボン酸を主成分とした栄養塩）を選定し、掘削した汚染土壌と、炭素数が６以上の直鎖状飽和モノカルボン酸を主成分とした栄養塩を土壌混合機により混合し、建設重機により掘削した非汚染領域となった領域の水平勾配を２度から４度（好ましくは３度）にして遮水シートを敷き、勾配の下方に集水用配管を単数又は複数本配置し、集水用配管を覆うように砂利をほぼ水平に敷き詰め、その上に給気用の配管を単数又は複数本配置し、前記給気用配管を覆うように砕石をほぼ水平に敷き詰め、その上に土壌混合機で汚染土壌と炭素数が６以上の直鎖状飽和モノカルボン酸を主成分とした栄養塩をほぼ均一に混合した混合土壌を埋め戻し、混合土壌に対して、給気配管に空気供給を間欠制御することにより、汚染土壌に土着している嫌気性微生物及び好気性微生物の増殖かつ活性促進させることにより、汚染土壌に含有する揮発性有機化合物や油分をバイオ的に安定して完全分解（還元的脱塩素化反応による浄化、無害化）処理することができる。一般に土壌の表層５０ｃｍ以下では、嫌気状態となっていることが多く、嫌気性微生物が活性する環境にあるが、嫌気性微生物では無害の低分子物質まで分解するものもあるが、殆どの嫌気性微生物は二酸化炭素と水の低分子化までは分解できず土壌中にｃｉｓＤＣＥのまま残留する。ｃｉｓＤＣＥは、好気性微生物によりエチレンに分解され、さらに二酸化炭素と水まで分解される。
【００１２】
したがって、混合土壌から浸出する浸出水を集水配管を介して貯留手段（例えば、貯留槽、貯留容器）で溜め、適宜混合土壌に散水するとともに、一部を取り出しガスクロマトグラフィーで経時的に分析し、揮発性有機化合物の濃度で特にｃｉｓＤＣＥの濃度が上昇し安定したところで、ブロワーを運転して空気を給気管に送り込むことにより、好気性微生物の増殖かつ活性促進させることにより混合土壌に含有する揮発性有機化合物及び廃油をバイオ的に安定して分解（還元的脱塩素化反応による浄化、無害化）処理することができ、最適の工期間で混合土壌全体を浄化することができ、混合土壌から浸出する浸出水も浄化でき、また、２次公害を引き起こす恐れもなく、排水処理設備が不要で、特別管理産業廃棄物として廃棄する必要もなく、浸出水の汚染も浄化できる。
【００１３】
また、栄養塩については、嫌気性微生物及び好気性微生物の活性化・増殖に対応できる炭素数が６以上の直鎖状飽和モノカルボン酸を主成分とする栄養塩を用い、栄養塩の特性上、土壌中の水分に対して徐々に溶解するものであり、その溶出の速度は炭素数が大きいほど溶出しにくく、汚染土壌の含水率と、特定の栄養塩（例えば、カプロン酸、ペンタンカルボン酸、ブチル酢酸、エナント酸、エナンチル酸、ヘキサンカルボン酸、ペンチル酢酸、カプリル酸、ヘプタンカルボン酸、ヘキシル酢酸、ペラルゴン酸、オクタンカルボン酸）および送風手段により強制給気する給気温度と、給気量との相関により、嫌気性微生物及び好気性微生物の活性化・増殖による有機塩素系化合物や油分の分解を短期間で安定・最適化できるものとなる。
【００１４】
特に本発明を実施する場合においては、掘削した汚染土壌の一部を分析し、汚染物質を特定することと、その含水率を測定することにより汚染土壌の性質を把握し、例えば、有機塩素化合物であるトリクロロエチレンや、が含有されていて、含水率が２０％以下の汚染土壌（表層部分）においては、栄養塩をカプロン酸、ペンタンカルボン酸を主成分とする栄養塩を選択し、送風手段はブロワーやファン等を用い、熱源として石油温風ヒーター等を使用して送風温度を１５℃〜３８℃（好ましくは２０℃〜３５℃）に設定して、ブロワーのダンパーにより送風量を制御して汚染土壌内の通気用配管に給気することにより、土着している好気性微生物を増殖かつ活性促進させることにより、汚染土壌に含有する揮発性有機化合物や油分をバイオ的に安定して短期間に低分子化して二酸化化炭素と水に分解できる。
【００１５】
また、掘削した汚染土壌の一部を分析し、汚染物質を特定することと、その含水率を測定することにより汚染土壌の性質を把握し、例えば、有機塩素化合物であるトリクロロエチレンや、が含有されていて、含水率が２０％以上の汚染土壌（表層部分）においては、栄養塩をペラルゴン酸、オクタンカルボン酸を主成分とする栄養塩を選択し、送風手段はブロワーを用い、熱源として石油温風ヒーターや、電気ヒーターを使用して送風温度を２０℃〜４０℃（好ましくは２５℃〜３８℃）に設定して、ブロワーやファンのダンパーにより送風量を制御して汚染土壌内の通気用配管に給気することにより、栄養塩が汚染土壌の水分により溶出して、土着している好気性微生物の餌となり、増殖かつ活性促進させることにより、汚染土壌に含有する揮発性有機化合物や油分をバイオ的に安定して短期間に低分子化して二酸化化炭素と水に分解できる。
【００１６】
請求項２に記載の本発明によれば、給気用の配管の上部に配管保護手段として砕石、栗石、コンクリートとで成形されたＵ字溝を用いることにより、混合土壌に重機等の荷重により給気用の配管が破損したり、給気孔ふさがることを防止でき、かつ、混合土壌に均一に給気することにより、安定して好気性微生物を増殖かつ活性促進させることができる。なお給気用の配管の材質は厚み３ミリ程度の鋼製が好ましい。
【００１７】
請求項３に記載の本発明によれば、集水用の配管の上部に配管保護手段として砕石、砂利、コンクリートとで成形されたＵ字溝を用いることにより、混合土壌に重機等の荷重により集水用の配管が破損したり、集水孔がふさがることを防止でき、かつ、混合土壌から浸出する水分を安定して集水して、揚水ポンプで汲み上げた後、再度混合土壌に散水することにより、好気性微生物又は嫌気性微生物を増殖かつ活性促進させることができる。なお集水用の配管の材質は厚み３ミリ程度の鋼製が好ましい。
【実施例１】
【００１８】
以下、本発明の実施例について、図面を用いて説明する。
図１は、本発明の汚染土壌を建設重機で掘削し土壌混合機で混合土壌を埋め戻す概要を示す断面図である。
【００１９】
図１において、汚染領域の汚染土壌１を建設重機２（ショベルカー、ブルドーザー）で掘削し、土壌混合機３に前記汚染土壌１を投入し、前記土壌混合機３に備えられている栄養塩貯留ホッパー４に貯蔵されている炭素数が６以上の直鎖状飽和モノカルボン酸を主成分とした栄養塩５とを混合した混合土壌６を遮水シート７で覆われた別に掘削した領域に
埋め戻すことで浄化する工法である。
【００２０】
なお、前記遮水シート７で覆われた別に掘削した領域の詳細については図3で述べるものとする。
【００２１】
図２は、本発明の混合土壌を製造する概略を示す断面図である。
【００２２】
図２において、前記建設重機２により掘削された前記汚染土壌１は、前記土壌混合機３の汚染土壌投入ホッパー８に投入され、搬送用コンベア９によって前方へ押し出され、ローター１０よって一定量で搬送され、前記土壌混合機３に備えられている前記栄養塩貯留ホッパー４に貯蔵されている炭素数が６以上の直鎖状飽和モノカルボン酸を主成分とした前記栄養塩５を添加される。
【００２３】
前記栄養塩５を添加された前記汚染土壌１は、前記搬送用コンベア９の前方に備わっている土壌破砕部１１により細かく砕かれ、前記汚染土壌１と前記栄養塩５が、均一に混合され、前記混合土壌６となり、排出用コンベア１２に投入される。なお、前記汚染土壌と、前記栄養塩の混合比率は、掘削した前記汚染土壌１の一部を分析した汚染物質（例えばテトラクロロエチレンの場合は無害化分解するための塩素と水素の置換量の３倍）の種類と濃度により決定される。
【００２４】
図３は、本発明の混合土壌の浄化方法の概略を示す断面図である。
【００２５】
掘削された非汚染領域を２度から４度の勾配をもたせ、その上に前記遮水シート７を敷き、前記遮水シート７の上部に前記勾配の下方側に集水配管１３を単数又は複数本設置し、その上に前記集水配管１３を覆うように砂利１４を敷き詰めて水平に整地し、その上にブロワー１５から連通された給気配管１６を単数又は複数本設置し、その上に前記給気配管１６を覆うように砕石（栗石）１７を敷き詰めて水平に整地し、その上に前記混合土壌６を積上げる。なお、前記混合土壌６の積上げ高さは５０ｃｍから９０ｃｍが好ましく、最終的に前記建設重機３により整地する為、前記建設重機３の荷重等を考慮して前記混合土壌６を積上げる必要性がある。
【００２６】
前記混合土壌６には、有機塩素化合物、揮発性有機化合物ＶＯＣ（例えば、ｃｉｓＤＣＥ、トリクロロエチレン、テトラクロロエチレン、ホルムアルデヒド、トルエン、ベンゼン、キシレン等）や廃油が含有されている。これらは化学的に安定していて分解しにくい性質があり、産業界で種々の用途に普及した反動として、今や特に土壌及び地下水の汚染の原因ともなっている。
【００２７】
また、前記混合土壌６に混合された前記栄養塩５は、炭素数が６以上の直鎖状飽和モノカルボン酸を主成分とした栄養塩を特定し、前記混合土壌６内の好気性微生物群を増殖かつ活性化させる栄養剤となる。
【００２８】
具体的には、炭素数が６以上の直鎖状飽和モノカルボン酸には、例えばカプロン酸、ペンタンカルボン酸、ブチル酢酸、エナント酸、エナンチル酸、ヘキサンカルボン酸、ペンチル酢酸、カプリル酸、ヘプタンカルボン酸、ヘキシル酢酸、ペラルゴン酸、オクタンカルボン酸、ヘプチル酢酸等を主成分とするものが上げられ、前記混合土壌６の含水率により適宜選択される。
【００２９】
前記混合土壌６の浄化方法は、掘削した前記汚染土壌１の一部を分析した後、その前記汚染土壌１の含水率や温度を測定して、熱源装置１８（電気ヒーター、石油温風ヒーター等）の供給温度を２０℃〜４０℃（好ましくは２５℃〜３８℃）設定する。
【００３０】
さらに、前記熱源装置１８は連通された前記ブロワー１５により前記給気配管１６を介して前記混合土壌６に強制的に給気される。なお給気する条件としては、貯留槽１９の浸出水を一部抜き取りガスクロマトグラフィーでｃｉｓＤＣＥの濃度を時系列的に測定し、濃度が上昇し安定したところで前記ブロワー１５を運転する。
【００３１】
これにより、前記混合土壌６に土着している好気性微生物の活性環境を作り出し、好気性微生物が活性する温度で、しかも前記栄養塩５が混合されていることにより、好気性微生物が、増殖及び活性して、前記混合土壌６に含有されている有機塩素化合物、揮発性有機化合物ＶＯＣ、廃油が分解される。
【００３２】
また、前記混合土壌６から前記遮水シート７に浸出する浸出水は、前記集水配管１３を介して前記貯留槽１９に溜められる。
【００３３】
前記貯留槽１９の浸出水は、集水ポンプ２０によって汲み上げられるが、前記貯留槽１９の後段に設けられた散水ポンプ２１により加圧され散水配管２２を介して積上げられた前記混合土壌６の上部から散水することにより、排水処理の設備を必要とせず、散水することで前記混合土壌６に混合されている前記栄養塩５を溶出させることができ、好気性微生物により、前記混合土壌６に含有されている有機塩素化合物、揮発性有機化合物ＶＯＣ、廃油の分解を更に促進できる。
【００３４】
本願の浄化処理は、汚染物質を低分子化する嫌気性微生物及び好気性微生物の特性を利用したもので、前記貯留槽１０の浸出水を一部取出して、ガスクロマトグラフィーで分析することにより、トリクロロエチレン、テトラクロロエチレンの濃度が高く、ｃｉｓＤＣＥの濃度が低い場合（初期状態）は、空気を前記混合土壌６に給気しないで、嫌気性微生物による前記混合土壌６の汚染物質の低分子化を図り、１ヶ月間隔で浸出水を一部取出して、ガスクロマトグラフィーで分析し、ｃｉｓＤＣＥの濃度が上昇し、安定した場合には前記ブロワー１５により前記給気配管１６を介して前記混合土壌６に強制的に給気し、好気性微生物による汚染物質の低分子化を図る嫌気・好気処理の浄化方法であって、浸出水をガスクロマトグラフィーで分析することにより前記混合土壌６の状態が判断することができ、浄化された土壌はそのまま放置してもよく又は再利用することもできる。
【００３５】
前記栄養塩５のカルボン酸としては、炭素数が６以上であることが必須であり、炭素数が６未満（例えば、ギ酸、酪酸）では浸出水に対する溶解度が大きすぎるため、浸出水に炭素数が６未満（例えば、ギ酸、酪酸）の基気成分の殆どが溶解し、雑菌の繁殖等による悪臭等の浸出水の水質の不安定化という課題があり、前記汚染土壌１の含水率と、特定の前記栄養塩５および前記ブロワー１５により強制給気する給気温度と、給気量との相関をとって好気性微生物を増殖及び活性化させる環境を作り出し、制御し、短期間で汚染土壌を浄化することが難しい。
【００３６】
また、炭素数の上限は特に設ける必要はないが、工業的に大量に入手可能なものとしては炭素数が１８程度までと考えられる（が必ずしも、炭素数が１８以下のものに限られるものではないことは言うまでもない）。炭素数が大き過ぎると、水溶解性が更に悪く（溶解に時間がかかり）なり、前記栄養塩５としての効果（実効性）が低くなるのは上述したとおりである。
【００３７】
また、本願のカルボン酸は、直鎖状構造を有し、さらには、飽和モノカルボン酸であることが好ましい（これらの基本的な内容等については、特開２０００−３３４４９２号公報に記載されている）。
【００３８】
前述のとおり炭素数が大きい前記栄養塩５の場合、前記混合土壌６への溶解に時間がかかり、前記栄養塩５としての効果が低くなる（遅効性）が、例えば、本願のカルボン酸（高級脂肪酸）にアルコール（グリセリン）を加えてエステル（油脂）としても良い。つまり、カルボン酸をグリセリンによってエステル結合となし、カルボン酸の水溶性が増すことになり、カルボン酸による浄化の補助的な寄与が期待できることになる（これらの内容等については、特開２００２−３７００８５号公報に記載されている）。
【００３９】
仮に、端的に汚染の浄化処理期間の観点から見れば、短期〜中期〜長期等があり、例えば、短期とすれば、炭素数が小さくカルボン酸、かつ、カルボン酸をグリセリンによってエステル化した栄養塩とすることが考えられる。逆に長期とすれば、炭素数が大きいカルボン酸（例えば、ステアリン酸）、グリセリンを使用しない栄養塩とすること等が考えられる。つまり、カルボン酸の炭素数やグリセリンの添加量を自在に選択し、その添加量等の・最適の浄化処理条件を制御でき、限られた場所での対応が自在にできることになる。
【００４０】
以上の説明により、バイオ工法分類の中の一つである「ランドファーミング」は既に知られた工法であるが、本願の特徴は、この前記栄養塩５を特定することと、嫌気・好気処理をすることにより、新たに特異な効果を生じることになる。
【００４１】
以上、１実施例について述べたが、現場の汚染状況に対応させて、夫々の実施例を適宜に組み合せたりして、多様化して展開することは自明のことである。
【産業上の利用可能性】
【００４２】
この発明はバイオレメデエーション法を用いて嫌気性微生物及び好気性微生物を活性化し、有機塩素系化合物及び廃油で汚染された土壌の浄化を促進して、汚染領域を原位置で短期間に浄化する装置に適用できる。
【図面の簡単な説明】
【００４３】
【図１】本発明の汚染土壌を建設重機で掘削し土壌混合機で混合土壌を埋め戻す概要を示す断面図
【図２】本発明の混合土壌を製造する概略を示す断面図
【図３】本発明の混合土壌の浄化方法の概略を示す断面図
【符号の説明】
【００４４】
１    汚染土壌
２    建設重機
３    土壌混合機
４    栄養塩貯留ホッパー
５    栄養塩
６    混合土壌
７    遮水シート
８    汚染土壌投入ホッパー
９    搬送用コンベア
１０    ローター
１１    土壌破砕部
１２    排出用コンベア
１３    集水配管
１４    砂利
１５    ブロワー
１６    給気配管
１７    砕石（栗石）
１８    熱源装置
１９    貯留槽
２０    集水ポンプ
２１    散水ポンプ
【図１】
2005279397.tif 000003
【図２】
2005279397.tif 000004
【図３】
2005279397.tif 000005